(57)【要約】【課題】本発明は、使用部品点数を極力抑え、薄型化した両プッシュ中留の構造を提供する。【解決手段】中留本体部２は、表板１０とプッシュボタン１１，１２とバネ棒１３，１４のみから構成されている。表板１０側面の開口部２３よりプッシュボタン１１，１２の一部を突出させた操作部１５，１６を設けた。両プッシュボタン１１，１２を外側に付勢させる部材として、両プッシュボタン１１，１２間に、バネ棒１３，１４のみを設けた。このバネ棒１３，１４を包み隠さず剥き出しにし、バネ棒１３，１４両端のピポット１８のみをプッシュボタン１１，１２に嵌入した。両プッシュボタン内端には、基板５上の係止部２１，２２と係合するための係止爪１９，２０を設けた。従って、バネ棒１３，１４と係止爪１９，２０は上下に重ならない位置に存在する。【選択図】　図１
2004097659.tif 000002
【特許請求の範囲】
【請求項１】
基板に係止部を有し、表板の両側に開口部を設け、該開口部より突出する操作部と、内側に前記係止部に係合する係止爪を有するプッシュボタンを設け、該プッシュボタン間に外側に付勢するバネ棒を配置した両プッシュ中留において、該両プッシュ中留は少なくとも表板と基板から構成され、前記プッシュボタンに形成されている係止爪は、前記バネ棒と重ならない位置にあり、かつ前記プッシュボタンは開口部の内側に段差を設けたことを特徴とする両プッシュ中留の構造。
【請求項２】
前記バネ棒は、少なくとも１つ配置されていることを特徴とする請求項１記載の両プッシュ中留の構造。
【請求項３】
前記プッシュボタンに形成した係止爪は、プッシュボタンに、少なくとも１つ有していることを特徴とする請求項１記載の両プッシュ中留の構造。
【請求項４】
前記プッシュボタンに形成した係止爪は、バンド短手方向またはバンド長手方向を向いており、前記開口部より突出するプッシュボタン操作部のプッシュ操作で、バンド短手方向に移動させ、前記基板係止部より離脱可能にしたことを特徴とする請求項１または３記載の両プッシュ中留の構造。
【請求項５】
前記プッシュボタンに設けた段差は、バンド厚さ方向またはバンド長手方向に設けられており、前記開口部からの前記プッシュボタン抜け止め役を果たすことを特徴とする請求項１記載の両プッシュ中留の構造。
【請求項６】
前記プッシュボタンに設けた段差は、前記開口部からの前記プッシュボタン抜け止め役を果たすに充分な厚みを持つ段部または突起部を、少なくとも１つ持つことを特徴とする請求項１または５記載の両プッシュ中留の構造。
【請求項７】
前記プッシュボタンの操作部は、表板両側の開口部より突出した構造または、前記表板開口部から上面に連通する切欠より、わずかに突出した構造のいずれかを有することを特徴とする請求項１記載の両プッシュ中留の構造。
【請求項８】
前記両プッシュ中留は、二つ折れ中留、三つ折れ中留、観音開き中留の中のいずれか１つからなることを特徴とする請求項１記載の両プッシュ中留の構造。
【発明の詳細な説明】
【０００１】
【発明の属する技術分野】
本発明は、バンド部材の各端部を連結する中留構造に関するものである。
【０００２】
【従来の技術】
従来の両プッシュ中留構造として、特許文献１に開示されている三つ折れ中留構造がある。図６に示すように、表カバー（表板）１００内側に、係止爪１０１を具備する可動係止部材（プッシュボタン）１０２をバネ棒あるいは単なる丸棒１０３等の断面が円形の支軸にて摺動自在に支承し、かつ一方の可動係止部材１０２ａと他方の可動係止部材１０２ｂとの間に、外側に付勢せしめたコイルバネ１０４を挿嵌し、可動係止部材１０２のプッシュ操作で、係止爪１０１をバンド短手方向に移動させることによって、裏板（基板）１０５側に設けられている固定係止部材１０５ａから掛脱可能とする構造をとっている。このため、使用部品点数も多く、厚みもあった。
【０００３】
この問題を解決する技術を示唆するものに、特許文献２に開示された押し開閉タイプの観音中留技術がある。この開示技術では、図７に示すように、横長枠（基板）１１７の両端に開閉自在に開閉板（中板）１１９を有し、一方の開閉板１１９ａの先端に一方のバンド１２０ａが連結され、他方の開閉板１１９ｂの先端に上蓋（表板）１１０が連結され、上蓋１１０の端部に他方のバンド１２０ｂが連結されている。
【０００４】
また、上蓋１１０下にプッシュボタン部（操作部）１１２を有する２個の押し箱部材（プッシュボタン）１１１をスライド自在に対設し、該２個の押し箱部材１１１に内端を開口する２個ずつの挿嵌孔（付勢部材用小孔）１１３を設け、該挿嵌孔１１３間に伸縮する２本のバネ棒１１５を平行挿嵌張設し、該各押し箱部材１１１の内端下に、横長枠（基板）１１７の中心部に設けた掛止孔１１８に掛脱する係止爪１１４を垂設している。
【０００５】
また、押し箱部材が表板より外に抜け出ることを防止するために、押し箱部材１１１の下面にストッパー（段差）１１６が設けられている。
【０００６】
【特許文献１】
実開昭５７−１２９４１４号公報（第１−２頁、第２図（イ）、（ロ））
【特許文献２】
実開平４−４０８１１号公報（第１−３頁、第１図）
【０００７】
【発明が解決しようとする課題】
前記の観音中留技術においては、バネ棒を押し箱部材に挿嵌し、さらに該押し箱部材の内端下に、係止爪を設けているため、バネ棒を包み込む押し箱部材と係止爪とが重なり、肉厚なものになっている。
【０００８】
また、押し箱部材の下面に、突出したストッパーが設けられていることも厚みを増す要因の１つとなっていた。
【０００９】
本発明は、上述した如くの問題を解決することにあり、その目的とするところは、使用部品点数を極力抑え、薄型化した両プッシュ中留の構造を提供することにある。
【００１０】
【課題を解決するための手段】
上記の課題を解決するために、本発明は、基板に係止部を有し、表板の両側に開口部を設け、該開口部より突出する操作部と、内側に前記係止部に係止する係止爪を有するプッシュボタンを設け、該プッシュボタン間に外側に付勢したバネ棒を配置した両プッシュ中留において、該両プッシュ中留は少なくとも表板と基板から構成され、前記プッシュボタンに形成されている係止爪は、前記バネ棒と重ならない位置にあり、かつ前記プッシュボタンは開口部の内側に段差を設けたことを特徴としている。
【００１１】
また、前記バネ棒は、少なくとも１つ配置されている。
【００１２】
また、前記プッシュボタンに形成した係止爪は、プッシュボタンに少なくとも１つ有している。
【００１３】
また、前記プッシュボタンに形成した係止爪は、バンド身近手方向またはバンド長手方向を向いており、前記開口部より突出するプッシュボタン操作部のプッシュ操作を行い、バンド短手方向に移動させることによって、前記基板係止部より離脱可能となっている。
【００１４】
また、前記プッシュボタンに設けた段差は、バンド厚さ方向またはバンド長手方向に設けられており、前記開口部からの前記プッシュボタン抜け止め役を果たしている。
【００１５】
また、前記プッシュボタンに設けた段差は、前記開口部からの前記プッシュボタン抜け止め役を果たすに充分な厚みを持つ段部または突起部を、少なくとも１つ持っている。
【００１６】
また、前記プッシュボタンの操作部は、表板両側の開口部から突出した構造または、前記表板開口部から上面に連通する切欠より、わずかに突出している構造のいずれかを有している。
【００１７】
また、前記両プッシュ中留は、二つ折れ中留、三つ折れ中留、観音開き中留の中のいずれか１つからなっている。
【００１８】
【発明の実施の形態】
以下、本発明の両プッシュ中留構造を両プッシュ三つ折れ中留に適用した実施例１から実施例３について、図１から図５を参照して以下に詳細に説明する。
【００１９】
（実施例１）
実施例１について、図１は、両プッシュ三つ折れ中留の斜視図、図２は、両プッシュ三つ折れ中留本体部の断面図である。
【００２０】
本発明に係る両プッシュ三つ折れ中留は、図１に示すように一方のバンド１に連結された中留本体部２と、他方のバンド３に連結された基板５と、中留本体部２と基板５を連結する中板４から構成されており、それぞれの端部が回転可能に連結ピン６，７，８，９によりそれぞれ連結されている。
【００２１】
中留本体部２と中板４、基板５がＺ字形状に折り畳まれ、中板４は基板５に、基板５は中留本体部２に収納される。
【００２２】
中留本体部２は、略コの字形の表板１０と、その内側に、薄型のプッシュボタン１１，１２と、プッシュボタン１１，１２を外側に付勢せしめるため、２つのプッシュボタン１１，１２の間に、２本のバネ棒１３，１４を平行に設けた構造から成る。
【００２３】
表板１０の両側面には開口部２３が設けられ、プッシュボタン１１，１２の一部分を開口部２３から突出させた操作部１５，１６があり、両プッシュボタン１１，１２の向かい合った面には、それぞれ２つの付勢部材用小孔１７を設け、この付勢部材用小孔１７にバネ棒１３，１４の両端それぞれのピポット１８のみを、図２に示すように嵌入している。
【００２４】
また、プッシュボタン１１，１２は表板１０の開口部２３より内側の、厚さ方向上面に段差２４を設け、開口部２３よりプッシュボタン抜け止め役を果たす程度に若干肉厚にし、プッシュボタン１１，１２の抜け出ることを防いでいる。
【００２５】
また、両プッシュボタン１１，１２の下面内端で、付勢部材用小孔１７があけられている位置の延長線上に、外方向（開口部２３の方向）を向いた係止爪１９，２０がそれぞれ設けられている。また、中留本体部２と中板４、基板５をＺ字状に折り畳んだとき、プッシュボタン１１，１２の係止爪１９，２０が係合できるようにするため、基板５上面の位置に係止部２１，２２が設けられている。プッシュボタン１１，１２に設けられた係止爪１９，２０は、図２の断面図が示すように鍵爪状となっている。
【００２６】
以上のことより、本発明の実施例である両プッシュ三つ折れ中留は、従来の両プッシュ三つ折れ中留に比べ、使用部品点数も抑えられ、単純形状であるため、組立も容易であり、コストも低減する。また、バネ棒１３，１４を剥き出しにし、バネ棒１３，１４と係止爪１９，２０を重ならない位置に設けたことによって、余分な厚みが削除でき、薄型化することができる。
【００２７】
次に、このように構成された本実施例１の両プッシュ三つ折れ中留の係合、係合解除操作について説明をする。
【００２８】
まず、両プッシュ三つ折れ中留の係合の場合については、プッシュボタン１１，１２の内端に設けられた鍵爪状の係止爪１９、２０の折り曲げ部の外側が、先端に向けてテーパー部となっているため、中留本体部２、中板４，基板５をＺ字状に折り畳み、中留本体部２の上部に上方向から圧力を加えることによって、係止爪１９，２０の外側のテーパー部が係止部２１，２２の先端に当たるとともに、係止爪１９，２０がテーパー部に沿って、バンド短手方向内側に移動する。さらに、係止爪１９，２０の先端が係止部２１，２２の内側に来ると、バネ棒１３，１４の外方向への付勢により、係止爪１９，２０がバンド短手方向外側に移動し、基板５上に設けられた係止部２１，２２に係合する。
【００２９】
また、基板５上の係止部２１，２２についても、プッシュボタン１１，１２の係止爪１９，２０と係合する部分が平面に対し、鈍角にはなっていないうえ、両プッシュボタン１１，１２の間に設けられたバネ棒１３，１４によって、係止爪１９，２０は外側に付勢されているので、中留本体部２を引き上げることによって、係合が解除されることはない。
【００３０】
また、係合解除の場合は、プッシュボタン１１，１２の操作部１５，１６を外側からプッシュ操作し、係止爪１９，２０をバンド短手方向内側に、基板上の係止部２１，２２と接する部分がなくなるまで（指が表板１０の両側面にあたる程度まで）平行移動させ、中留本体部２を上方向へ持ち上げることで、プッシュボタン１１，１２の係止爪１９，２０と、基板上面の係止部２１，２２の係合が解除できる。そのことによって、中留本体部２、中板４、基板５の折り畳みを開き、一方のバンド１と他方のバンド３の間隔を広げることができる。
【００３１】
また、この実施例１ではバネ棒を２本使用しているが、１本使用した場合でも、２本の時と同様の効果が得られ、さらにバネ棒１本分部品点数が減ることで、コストが抑えられる。
【００３２】
また、実施例１ではプッシュボタンに形成した係合爪は、それぞれ１つずつ使用した場合について提示したが、２つ以上についても同様の働きを示す。
【００３３】
（実施例２）
実施例２として、プッシュボタンに設けた係合爪が、外側ではなく、バンド長手方向を向いている両プッシュ三つ折れ中留について説明する。図３はプッシュボタンのプッシュ操作を行っている状態の展開図、図４は断面図である。基本的には実施例１と同様な構造であるので、詳細な説明は省略する。
【００３４】
略コの字形の表板３０の内側に、プッシュボタン３２，３３を設ける。両プッシュボタン３２，３３の間には、前記の実施例と同様に、外方向に付勢する事を目的としたバネ棒４０，４１を設ける。また、プッシュボタン３２，３３側面のバンド長手方向側に、係止爪３６，３７をそれぞれ設ける。また、係止爪３６，３７と係合する基板３１上の係止部３８，３９を、係合爪３６，３７と重なり合う位置に設ける。
【００３５】
また、図４が示すようにプッシュボタン３２，３３に設けられた係止爪３６，３７は、バンド短手方向について、中留外側から内側の方へ、基板３１側に向かって傾斜している。
【００３６】
次に、このように構成された本実施例２の両プッシュ三つ折れ中留の係合、係合解除操作について説明をする。
【００３７】
まず、実施例２の両プッシュ三つ折れ中留の係合の場合については、プッシュボタン３２，３３設けられた係止爪３６，３７の外側が基板３１上の係止部３８，３９に向けてのテーパー部となっているため、係止爪３６，３７のテーパー部と、係止部３８，３９を接し、上方向から圧力を加えることによって、係止爪３６，３７は、バンド短手方向内側に移動する。さらに、係止爪３６，３７の外端が、係止部３８，３９の内端にくると、両プッシュボタン３２，３３の間のバネ棒４０，４１により、外側に付勢され、基板３１上に設けられた係止部３８，３９と係合する。
【００３８】
また、係合解除の場合は、プッシュボタン３２，３３の操作部３４，３５をプッシュ操作し、プッシュボタン３２，３３に設けられた係合爪３６，３７を、基板３１上に設けられた係止部３８，３９と重ならない位置まで、バンド短手方向に（指が表板３０の両側面にあたる程度まで）スライド移動させ、そのまま上方向に持ち上げることによって、係合が解除される。
【００３９】
以上のように、実施例２に示した両プッシュ三つ折れ中留は、実施例１とは異なり、プッシュボタンの下面ではなく、側面（バンド長手方向）に係止爪を設けたことで、より両プッシュ三つ折れ中留構造を薄型化できる。
【００４０】
また、実施例１ではプッシュボタンの抜け止め役を果たす段差を、プッシュボタンの上部に設けたが、プッシュボタン３２，３３のバンド長手方向に設けても同様の効果を得られる。図３に示されているように、プッシュボタン３２，３３幅を、表板３０より外側に出ている操作部３４，３５より、厚くすることによって、プッシュボタン３２，３３が表板３０から抜け出ることを防ぐ構造に置いても、同様の効果を得られ、さらに両プッシュ中留の薄型化に有効である。
【００４１】
また、プッシュボタンの抜け止め役を果たす段部は、実施例１、実施例２のような段差のみならず、プッシュボタン上面または、側面のバンド長手方向に、突起物を付けるかもしくは、突起部を設けることによっても、同様の効果を得られる。
【００４２】
（実施例３）
実施例３として、表板開口部からのプッシュボタンの突出を最小限に抑えた両プッシュ三つ折れ中留について説明する。図５に、実施例３の両プッシュ三つ折れ中留構造の断面図である。
【００４３】
この実施例３についても、これまでに挙げた実施例１，実施例２と基本的に同様な構成である。表板５０内側に設けたプッシュボタン５１の内側に嵌入したバネ棒５２は、プッシュボタン５１を外側に付勢している。プッシュボタン５１の内端下部には、バンド短手方向（開口部方向）を向いた鍵爪状の係止爪５３が設けられている。この係止爪５３と係合する係止部５７を、基板５６上に設ける。
【００４４】
外方向に付勢されたプッシュボタン５１が表板５０から外へ抜けでないように、前記実施例２同様、プッシュボタン５１側面（バンド長手方向）に段差を設けている。また、表板５０には側面開口部５５から上面に連通する、切欠５４を設ける。この切欠５４を設けることによって、プッシュボタン５１をより深い位置までプッシュ操作する事ができるようになるので、表板５０側面から突出するプッシュボタン５１の出っ張り部５８を少なくすることが可能なる。そのことによって、プッシュボタン５１を誤って外部にぶつける等の行為で、意図せずプッシュ操作がなされることを防ぐことができようになる。
【００４５】
このような構造の両プッシュ三つ折れ中留の係合、係合解除方法は実施例１とほぼ同様である。
【００４６】
以上、本発明の実施例を両プッシュ三つ折れ中留構造について説明したが、本発明の両プッシュ中留構造を二つ折れ中留、観音開き中留構造にも適用できることは言及するまでもなく容易であるので、詳細の説明は省略する。また、本発明の両プッシュ中留構造を、二つ折れ中留、観音開き中留構造にも適用した場合も、両プッシュ三つ折れ中留構造に適用した場合と同様の効果が得られる。
【００４７】
【発明の効果】
以上説明したように、本発明の両プッシュ中留構造は、両プッシュボタンを外側に付勢させるためのバネ部材にバネ棒のみを用いているので、従来の両プッシュ中留に比べ、部品点数が抑えられる。また、単純形状であるため、組立も容易であり、コストを低減できる。
【００４８】
また、上記バネ棒を包み隠さず、剥き出しにしているため、従来の両プッシュ中留の余分な厚みを削除でき、より薄型化した両プッシュ中留構造を提供できる。
【００４９】
また、上記バネ棒とプッシュボタンの接続は、バネ棒両端から突出しているピポット部のみを、プッシュボタンに嵌入している構造をとり、そのプッシュボタンに係合爪を設けている。そのため、バネ棒本体部分と係止爪が重ならない位置にあるので、さらに両プッシュ中留構造の薄型化が可能である。
【００５０】
また、表板からプッシュボタンが抜け出ることを防ぐための段部を、プッシュボタンの、バンド厚さ方向の上面、またはバンド長手方向に設けることによって、さらに両プッシュ中留構造の薄型化に有効作用する。
【００５１】
さらに、表板開口部から上面に連通する切欠を設けることによって、プッシュボタン操作部の出っ張りを最小限にすることができるので、誤って外部にぶつける等の行為で、意図せずプッシュ操作がなされることを防ぐのに有効である。
【００５２】
また、本発明の両プッシュ中留構造は、二つ折れ中留、三つ折れ中留、観音開き中留のいずれの中留構造についても適用可能である。
【図面の簡単な説明】
【図１】本発明の実施例１で両プッシュ三つ折れ中留構造の一部省略した斜視図である。
【図２】図１の両プッシュ三つ折れ中留構造の両プッシュボタン間の断面図である。
【図３】本発明の実施例２で両プッシュ三つ折れ中留構造の係合主要部を下面から見た平面図である。
【図４】図３の両プッシュ三つ折れ中留構造の係合主要部の断面図である。
【図５】本発明の実施例３で両プッシュ三つ折れ中留構造の係合主要部の縦断面図である。
【図６】従来例で両プッシュ三つ折れ中留の要部平面図である。
【図７】従来例で押し開閉タイプ観音中留の斜視図である。
【符号の説明】
１　一方のバンド
２　中留本体部
３　他方のバンド
４　中板
５　基板
６　連結ピン
７　連結ピン
８　連結ピン
９　連結ピン
１０　表板
１１　プッシュボタン
１２　プッシュボタン
１３　バネ棒
１４　バネ棒
１５　操作部
１６　操作部
１７　付勢部材用小孔
１８　ピポット
１９　係止爪
２０　係止爪
２１　係止部
２２　係止部
２３　開口部
２４　段差
３０　表板
３１　基板
３２　プッシュボタン
３３　プッシュボタン
３４　操作部
３５　操作部
３６　係止爪
３７　係止爪
３８　係止部
３９　係止部
４０　バネ棒
４１　バネ棒
４２　付勢部材用小孔
５０　表板
５１　プッシュボタン
５２　バネ棒
５３　係止爪
５４　切欠
５５　側面開口部
５６　基板
５７　係止部
５８　出っ張り部
１００　表カバー（表板）
１０１　係止爪
１０２　可動係止部材（プッシュボタン）
１０２ａ　一方の可動係止部材
１０２ｂ　他方の可動係止部材
１０３　バネ棒または単なる丸棒
１０４　コイルバネ
１０５　裏板（基板）
１０５ａ　固定係止部材（係止部）
１１０　上蓋（表板）
１１１　押し箱部材（プッシュボタン）
１１２　プッシュボタン部（操作部）
１１３　挿嵌孔（付勢部材用小孔）
１１４　係止爪
１１５　バネ棒
１１６　ストッパー（段差）
１１７　横長枠（基板）
１１８　掛止孔
１１９　開閉板（中板）
１１９ａ　開閉板
１１９ｂ　開閉板
１２０ａ　一方のバンド
１２０ｂ　他方のバンド
【図１】
2004097659.tif 000003
【図２】
2004097659.tif 000004
【図３】
2004097659.tif 000005
【図４】
2004097659.tif 000006
【図５】
2004097659.tif 000007
【図６】
2004097659.tif 000008
【図７】
2004097659.tif 000009